(57)【特許請求の範囲】
【請求項１】
前身頃、装着者に抱着される一対の翼部を備えた後身頃、及び両者間に位置する股下部からなる使い捨ておむつの内面に添着される吸液性パッドにおいて、該吸液性パッドが液透過性の表面シート、液不透過性の裏面シート、及びこれら両シート間に介在する吸液性コアを有し、該吸液性コアの両側縁から延出する左右一対のサイドフラップと、前記吸液性コアの両端縁から延出する前後部一対のエンドフラップとを備え、これらにより前身頃、後身頃、及び両者間に位置する股下部が形成されるものであって、その後身頃の肌非当接面が前記使い捨ておむつの後身頃の肌当接面に止着可能で、且つその前身頃の肌当接面が前記使い捨ておむつの翼部の肌非当接面に止着可能となっており、
止着するための止着部材が、エンドフラップの肌当接面に設けられていることにより、前記パッドの前身頃の肌当接面が使い捨ておむつの翼部の肌非当接面に止着可能となっており、
前身頃の前部エンドフラップが縦方向に伸縮性を有し、
前記パッドの両側縁に起立性を有する一対の伸縮性を有するバリアカフが取り付けられ、該バリアカフの両端部がエンドフラップに固定されており、
前記エンドフラップの伸縮部の伸縮力が、バリアカフの伸縮力より大きい、
ことを特徴とする吸液性パッド。
【発明の詳細な説明】
【０００１】
【発明の属する技術分野】
この発明は、使い捨ておむつに関し、更に詳しくは、装着した場合、的確なフィット性を有するインナー使い捨ておむつに関する。
【０００２】
【従来の技術】
従来から、幼児用おむつとして使い捨ておむつが開発されているが、近年、老人を含めた介護保健の法改正が行われ、この点からも、使い捨ておむつの需要が増大している。
このような使い捨ておむつとしては、尿等の排出物を外部に漏らさないように的確に保持しておくことが極めて重要である。
そのためには、おむつとして十分な防水機能や吸液機能を備えていることの他に、それを装着した場合のフィット性がキーポイントとなる。
【０００３】
ところで、より防水機能や吸液機能を保証するために、主として身体に抱合して取り付ける部分を有する使い捨ておむつとそのアウターおむつの内側にセットして使用する吸液性パッドの２つを使ったものがある。
この場合、両おむつを使ったことによる二重構造のために有効な防水効果や吸水効果が期待できる。
【０００４】
図９は、このような前身頃に翼部を備えた使い捨ておむつＴと吸液性パッドをを有する従来の組合わせおむつを示す概略図であり、また図１０〜図１２は、その従来における使い捨ておむつＴに対して吸液性パッドＫを取り付ける手順を示す概略図である。
【０００５】
おむつを着用するには、先ず、図９の展開図のごとく使い捨ておむつＴを展開した状態で、吸液性パッドＫを添着してセットする。
その場合、吸液性パッドＫの後身頃Ｃの肌非当接面には、止着部材ｆ１が備わっているために、この止着部材ｆ１を介してアウターである使い捨ておむつＴの後身頃Ｃの肌当接面に止着する。
同様に、吸液性パッドＫの前身頃ａの肌非当接面に備わった止着部材ｆ２を使い捨ておむつＴの前身頃Ａの肌当接面に止着する。
【０００６】
このように、両者を互いに止着一体化した後に（図１０参照）、今度は、使い捨ておむつの翼部Ｃ１をウエストＷに廻すように抱着する（図１１参照）。
最後に、使い捨ておむつＴの前身頃Ａをその肌当接面に備わった止着部材Ｆを介して後身頃Ｃに止着させる（図１０、図１２参照）。
【０００７】
このように着用した状態では、おむつの内面に添着された吸液性パッドＫは、使い捨ておむつＴの動きに伴ってズレたり撚れたりし、尿等が漏れ出す危険がある。
すなわち、吸液性パッドＫは肌面を直接囲んではいるものの、アウターである使い捨ておむつＴの挙動に同調して動き易く、身体の尻面や腹面に対していわゆる「おむつ遊び」現象が生じ、その結果、尿等の漏れ出しを許すことになる。
【０００８】
【発明が解決しようとする課題】
本発明は、上記のような問題点の解決を意図したものである。
即ち、本発明の目的は、吸液性パッドを使い捨ておむつを介して着用した際、常に尻面や腹面に安定した状態で取り付けられる吸液性パッドを提供することである。
【０００９】
【課題を解決するための手段】
しかして、本発明者等は、このような背景をもとに、鋭意研究を重ねた結果、吸液性パッドを、身体に抱着される使い捨ておむつの翼部に直接取り付け可能とすることにより、着用時の保持安定性を増加させることができることを見出し、この知見に基づいて本発明を完成させたものである。
【００１１】
即ち、本発明は、（１）、前身頃、装着者に抱着される一対の翼部を備えた後身頃、及び両者間に位置する股下部からなる使い捨ておむつの内面に添着される吸液性パッドにおいて、該吸液性パッドが液透過性の表面シート、液不透過性の裏面シート、及びこれら両シート間に介在する吸液性コアを有し、該吸液性コアの両側縁から延出する左右一対のサイドフラップと、前記吸液性コアの両端縁から延出する前後部一対のエンドフラップとを備え、これらにより前身頃、後身頃、及び両者間に位置する股下部が形成されるものであって、その後身頃の肌非当接面が前記使い捨ておむつの後身頃の肌当接面に止着可能で、且つその前身頃の肌当接面が前記使い捨ておむつの翼部の肌非当接面に止着可能となっており、止着するための止着部材が、エンドフラップの肌当接面に設けられていることにより、前記パッドの前身頃の肌当接面が使い捨ておむつの翼部の肌非当接面に止着可能となっており、前身頃の前部エンドフラップが縦方向に伸縮性を有し、前記パッドの両側縁に起立性を有する一対の伸縮性を有するバリアカフが取り付けられ、該バリアカフの両端部がエンドフラップに固定されており、前記エンドフラップの伸縮部の伸縮力が、バリアカフの伸縮力より大きい吸液性パッドに存する。
【００１７】
【発明の実施の形態】
以下、具体的な実施の形態を挙げ図面に基づいて本発明を説明する。
本発明の吸液性パッドＫの主なる特徴は、翼部Ｃ１を備えた使い捨ておむつＴに取り付けられるものであって、その後身頃ｃが使い捨ておむつＴの後身頃Ｃに止着可能となっており、またその前身頃ａが使い捨ておむつＴの翼部Ｃ１に直接、止着可能となっていることである。
【００１８】
図１は、本発明の実施形態における吸液性パッドＫと使い捨ておむつＴとの関係を示したものである。
吸液性パッドＫは、使い捨ておむつＴの前身頃Ａ及、後身頃Ｃ、及び股下部Ｂの内面に添着されるものである。
【００１９】
また図２は、使い捨ておむつＴを概略的に示したものであり（バリアカフは省略した）、図３は、吸液性パッドＫを概略的に示したものである。
ここでまず、使い捨ておむつＴについて簡単に説明しておく。
【００２０】
使い捨ておむつＴは、吸液性パッドＫを装着した状態で身体に取り付けるものであり、そのために側方に延出した一対の翼部Ｃ１を備えている。
この翼部Ｃ１を身体に抱着することにより吸液性おむつＫを添着した状態の使い捨ておむつＴを確実に着用することができることとなる。
ちなみに、使い捨ておむつＴは、液透過性の表面シート３と液不透過性の裏面シート４と両者の間に介在する吸液性コア５とを有する。
【００２１】
そして吸液性コア５の両側縁からは左右一対のサイドフラップ２が延出して形成され、また吸液性コア５の両端部から前後部一対のエンドフラップ１が延出して形成されている。
これによって使用時に、腹面に位置する前身頃Ａ、背側に位置する後身頃Ｃ  （両側に身体に抱着される延出した一対の翼部Ｃ１を備えている）、そしてそれらを結合する股下部Ｂとが形成される。
また後身頃Ｃの肌非当接面に対して止着するための止着部材Ｆが、通常、前身頃Ａの肌当接面に一対設けられており、そのため、使い捨ておむつＴの後身頃の翼部Ｃ１を身体のウエストに抱着した状態で、その前身頃Ａを後身頃Ｃに止着できる。
【００２２】
一方、吸液性パッドＫは、使い捨ておむつＴよりその面積が小さく作られており、使い捨ておむつＴの内面に添着されて使用されるが、汚れた段階で取り替える必要がある。
そのため吸液性パッドＫは使い捨ておむつＴに対して取り外し可能なように止着されるようになっている。
まず吸液性パッドＫは、液透過性の表面シート３と液不透過性の裏面シート４と両者の間に介在する吸液性コア５を有する。
なお、表面シート３と裏面シート４とはヒートシール、超音波シール、ホットメルト接着剤等を使って相互に接着されている。
【００２３】
また、吸液性コア５は、通常、親水性繊維と高吸収性ポリマーとを透水性のティッシュで包んだ構造となっている。
これら表面シート３、裏面シート４、及び吸液性コア５によって使用時に腹面に位置する前身頃ａと背側に位置する後身頃ｃとそれらを結合する股下部ｂとが形成されている。
また後身頃ｃの肌非当接面には使い捨ておむつＴの後身頃Ｃの肌側面に止着されるための第１止着部材ｆ１が取り付けられている。
また、前述した前身頃ａのエンドフラップ１の肌当接面には、使い捨ておむつＴの翼部Ｃ１の反肌側面に止着されるための第２止着部材ｆ２が取り付けられている。
【００２４】
これらの止着部材ｆ１，ｆ２は、使い捨ておむつＴの後身頃Ｃ又は前身頃Ａの地組織に押し付けることで適宜の固定力をもって固定でき，また引っ張ることで取り外せるものであれば如何なるものでも採用可能であるが、特にタッチフアスナー、粘着剤等が好適である。
エンドフラップ１は縦方向（長手方向に）に伸縮性を有するもので、具体的には縦方向に伸縮紐１１を装備することでその方向に所望の伸縮力を発揮することができる（図８参照）。
【００２５】
吸液性パッドＫの前身頃ａに設けられた第２止着部材ｆ２は、エンドフラップ１（前部エンドフラップ）の内面すなわち肌当接面に設けることで、その伸縮力を有効に発揮することができるものである。
すなわち、その内方の領域Ｌの伸縮力を利用できる。
エンドフラップ１は、この伸縮性を有することにより、着用時、吸液性パッドＫの後身頃ｃ、前身頃ａ、及び股下部ｂを適当な弾力で尻面や腹面等の肌面に、強く密着する方向に引き寄せるため、特に股下部ｂに隙間が殆ど生じない（レックホールに空間が生じない）。
そのために、股下部ｂと肌面に隙間がなくなり尿等の漏れ出しは確実に防止される。
【００２６】
次に使い捨ておむつＴに対して吸液性パッドＫを取り付ける手順を述べる。
図４〜図７は、使い捨ておむつに対して吸液性パッドを取り付ける手順を示す概略図である。
まず使い捨ておむつＴを展開した状態でその後身頃Ｃに吸液性パッドＫの後身頃ｃを第１止着部材ｆ１を介して止着してセットしておく（図４参照）。
【００２７】
次に、使い捨ておむつＴの翼部Ｃ１を身体のウエストＷに巻き付けるように抱着させやや締まり気味に取り付ける（図５参照）。
この状態では使い捨ておむつＴと吸液性パッドＫの股下部と前身頃は垂下して自由な状態となっている。
【００２８】
次に、吸液性パッドＫの前身頃ａを第２止着部材ｆ２を介して使い捨ておむつＴの翼部Ｃ１に取り付ける（図６参照）。
この場合、前身頃ａのエンドフラップ１を掴んで引っ張り上げて股下部ｂを肌面に押し付けるようにし第２止着部材ｆ２を止着する。
ここで第２止着部材ｆ２は、使い捨ておむつＴの翼部Ｃ１の端部を跨ぐように止着するとよい。
いずれの場合も、止着部材ｆ１，ｆ２を押し付けることで止着されるものである。
これで、吸液性パッドＫは、直接、身体の尻面と腹面とに密着されてそれを覆った状態となる。
この状態では吸液性パッドＫの股下部と前身頃は垂下して自由な状態となっている。
【００２９】
この後、使い捨ておむつＴの翼部Ｃ１にその前身頃Ａを固定するが、これはその前身頃Ａに設けられた別の止着部材Ｆを介して行う。
以上で、吸液性パッドＫを添着された状態の使い捨ておむつＴが、完全に身体に着用されたことになる（図７参照）。
【００３０】
ここで、本発明の吸液性パッドＫにも、前身頃ａ、後身頃ｃ及び股下部ｂには、長手方向にバリアカフ６が形成されている（図８参照）。
このバリアカフ６は、液不透過性のシートよりなり、起立状の自由縁部には弾性伸縮部材６１（例えば、天然ゴム、合成ゴム等よりなる）を装備することでギャザー状になって起立が可能である。
バリアカフ６は、この弾力があることにより吸液性コア５に吸収された尿等の液体が股下から外方に漏れ出すのを防止する。
【００３１】
すなわち吸液性パッドＫを身に着けた場合、バリアカフ６は自らの伸縮力により起立して立壁を形成するもので尿等が外方に漏れ出るのを確実に防止することができるのである。
このバリアカフ６はエンドフラップ１の領域において、一対のバリアカフ６Ａ，６Ｂの上から塞ぐように、例えば、図示しない発水性シートを覆うこと好ましい。
そのため腹面側にポケットが形成され尿等の漏れ出し防止をより確実にすることができる。
【００３２】
このバリアカフ６の前身頃ａに対する固定部１２は、エンドフラップ１の極力端部に設けることが好ましい。
何故なら、着用の際、エンドフラップ１の端部を引っ張り上げるのと共にバリアカフ６も同時に引っ張り上げられるからである。
ところで、エンドフラップ１の伸縮力はバリアカフ６の伸縮力より大きいことが好ましい。
何故なら、エンドフラップ１の端部を引っ張ってもその伸縮力はバリアカフ６の伸縮力にのみ依存することないためエンドフラップが緩まない。
【００３３】
以上、本発明を説明してきたが、本発明は、実施の形態に限定されるものではなく、その本質から逸脱しない範囲で、他の種々な変形例が可能であることは言うまでもない。
すなわち、表面シート３と裏面シート４との間に介在する吸液性コア５の形状は両シートより小さい面積を有するものであれば種々の形が採用可能である。
また、表面シート３、裏面シート４、吸液性コア５の他に他の機能シートを備えていることも可能である。
【００３４】
また、使い捨ておむつＴは、身体に抱着される一対の翼部Ｃ１を備えたものであれば、その形は自由である。
また、吸液性コア５の両側縁から延出する左右一対のサイドフラップ２、また吸液性コア５の両端縁から延出する前後部一対のエンドフラップ２の形も種々の形が可能である。
またエンドフラップ２の伸縮性は、その全領域でなく一部であっても、当初の効果を得れる限り採用可能である。
また、第１止着部材ｆ１や第２止着部材ｆ２の数は、適宜選択可能である。
【００３５】
【発明の効果】
本発明の吸液性パッドＫは、使い捨ておむつＴの翼部Ｃ１に吸液性パッドＫの前身頃ａが止着可能となっているため、使い捨ておむつＴに添着して着用した際、使い捨ておむつＴの動きに追従することがなく、常に肌面に安定した状態となり、保持性が良く身体への密着性もよい。
【図面の簡単な説明】
【図１】図１は、本発明の実施形態における吸液性パッドと使い捨ておむつとの関係を示した図である。
【図２】図２は、使い捨ておむつを概略的に示したものである。
【図３】図３は、吸液性パッドを概略的に示したものである。
【図４】図４は、本発明の実施形態における使い捨ておむつに対して吸液性パッドを取り付ける手順を示す概略図である。
【図５】図５は、本発明の実施形態における使い捨ておむつに対して吸液性パッドを取り付ける手順を示す概略図である。
【図６】図６は、本発明の実施形態における使い捨ておむつに対して吸液性パッドを取り付ける手順を示す概略図である。
【図７】図７は、本発明の実施形態における使い捨ておむつに対して吸液性パッドを取り付ける手順を示す概略図である。
【図８】図８は、本発明の実施形態における吸液性パッドのエンドフラップとバリアカフとの関係を示す。
【図９】図９は、使い捨ておむつと吸液性パッドを有する従来の組合わせおむつを示す概略図である。
【図１０】図１０は、従来における使い捨ておむつに対して吸液性パッドを取り付ける手順を示す概略図である。
【図１１】図１１は、従来における使い捨ておむつに対して吸液性パッドを取り付ける手順を示す概略図である。
【図１２】図１２は、従来における使い捨ておむつに対して吸液性パッドを取り付ける手順を示す概略図である。
【符号の説明】
１…エンドフラップ
１１…伸縮紐
１２…固定部
２…サイドフラップ
３…表面シート
４…裏面シート
５…吸液性コア
６（６Ａ，６Ｂ）…バリアカフ
６１…弾性伸縮部材
Ａ…前身頃
ａ…前身頃
Ｂ…股下部
ｂ…股下部
Ｃ…後身頃
Ｃ１…翼部
ｃ…後身頃
Ｆ，ｆ…止着部材
ｆ１…第１止着部材
ｆ２…第２止着部材
Ｋ…吸液性パッド
Ｔ…使い捨ておむつ
Ｗ…ウエスト
【図１】
0003902457.tif 000002
【図２】
0003902457.tif 000003
【図３】
0003902457.tif 000004
【図４】
0003902457.tif 000005
【図５】
0003902457.tif 000006
【図６】
0003902457.tif 000007
【図７】
0003902457.tif 000008
【図８】
0003902457.tif 000009
【図９】
0003902457.tif 000010
【図１０】
0003902457.tif 000011
【図１１】
0003902457.tif 000012
【図１２】
0003902457.tif 000013